(57)【要約】【課題】小型化及び薄型化を図り、安定した防水性能を得て、製造コストの増大を抑制するとともに、デザイン性を向上させること。【解決手段】第２の筐体１０２は、外面筐体２０１と電池カバー２０２とから構成される。電池カバー２０２は、開口部２１３を有する。外部接点端子１０３は、開口部２１３から外部に露出する接点部３０１を有し、接点ホルダー２０４に収納される。パッキン２０５は、外部接点端子１０３の外周面３０３と接点ホルダー２０４の双方に密着して配置される。【選択図】図５
2011146983.tif 000002
【特許請求の範囲】
【請求項１】
開口部を有する筐体と、
前記開口部から外部に露出する接点部を有し、前記筐体に収納される導電端子部と、
前記導電端子部の外周面と前記筐体の双方に密着して配置されるパッキンと、
を具備する電子機器。
【請求項２】
前記導電端子部は、前記外周面の周囲に溝部が形成され、
前記パッキンは、前記溝部において前記外周面と前記筐体の双方に密着して配置される請求項１記載の電子機器。
【請求項３】
前記導電端子部は、上面を前記接点部とする円柱状の本体部を有し、前記本体部の高さ方向の一方の端部において前記外周面から突出して形成される第１のフランジ部と、前記本体部の前記高さ方向の他方の端部において、前記第１のフランジ部よりも前記外周面から突出して形成される第２のフランジ部とを有するとともに、前記第１のフランジ部と前記第２のフランジ部とにより前記溝部を形成し、
前記筐体は、前記第２のフランジ部と係合して前記導電端子部を保持するとともに、前記第１のフランジ部と当接することにより前記パッキンを前記導電端子部へ押圧する方向への移動を規制される請求項２記載の電子機器。
【請求項４】
前記導電端子部は、円柱状であり、
前記パッキンは、環状である請求項１記載の電子機器。
【発明の詳細な説明】
【技術分野】
【０００１】
本発明は、電子機器に関し、特に筐体内部への水等の侵入を防止するパッキンを有する電子機器に関する。
【背景技術】
【０００２】
携帯電話等の携帯型の電子機器は、電子機器とは別部品の充電器等の外部機器と接続するために、外部に露出する端子が設けられる。このような電子機器は、通常、パッキンを設けて、端子を外部に露出させるために設けた筐体の開口部からの水等の侵入を、パッキンにより防止する。
【０００３】
図１は、従来の防水機構を有する携帯電話１の要部の側断面図である。図１より、電子機器１は、筐体２と、外部接点端子３と、外部接点端子３を保持する接点ホルダー４とから主に構成される。
【０００４】
図１の電子機器１において、筐体２は、外部接点端子３が露出する開口部１０を有する。また、外部接点端子３は、接点ホルダー４に保持されて、接点ホルダー４と共に筐体２に実装される。また、電子機器１は、筐体２と外部接点端子３の双方に密着して配置される両面テープ１１が設けられる。図１では、電子機器１は、両面テープ１１により、開口部１０から筐体２の内部への水または埃等の侵入を防ぐことができる。
【０００５】
図２は、図１とは異なる防水機構を有する従来の携帯電話の側断面図である。また、図２は、特許文献１に記載される携帯電話を示す。図２より、携帯電話５０は、筐体５１と、外部接点端子５２と、接点ホルダー５３と、防水パッキン５４とから主に構成される。
【０００６】
図２の携帯電話５０において、筐体５１は、外部接点端子５２が露出する開口部６０を有する。また、外部接点端子５２は、接点ホルダー５３と一体成形されており、接点ホルダー５３と共に筐体５１に保持される。また、防水パッキン５４は、接点ホルダー５３と筐体５１の双方に密着して配置される。図２では、携帯電話５０は、防水パッキン５４により、開口部６０から筐体５１の内部への水の侵入を防ぐことができる。
【先行技術文献】
【特許文献】
【０００７】
【特許文献１】特開２００９−１４０８３４号公報
【発明の概要】
【発明が解決しようとする課題】
【０００８】
しかしながら、図１の防水機構においては、両面テープにより外部接点端子を筐体に密着させるので、外部接点端子における両面テープとの接着面積を広くする必要があり、小型化できないという問題がある。また、図１の防水機構においては、所定の防水効果を得るために、両面テープの接着力等の管理が必要になり、防水効果の検査箇所が多くなる。この結果、図１の防水機構においては、安定した防水性能を得ることが困難であるとともに、製造コストが増大するという問題がある。
【０００９】
また、図２の防水機構においては、外部接点端子と接点ホルダーとを一体成形するので、外部接点端子を接点ホルダーに確実に固定するための部分を、外部接点端子に設ける必要がある。この結果、図２では、外部接点端子を実装するための大きなスペースを筐体に設ける必要があるという問題がある。また、図２の防水機構においては、金属である外部接点端子と樹脂である接点ホルダーとの密着度が低い。このため、外部接点端子と接点ホルダーとの境界面において、所定の防水効果が得られているか否かの全数検査を行う必要があり、製造コストが増大するという問題がある。
【００１０】
本発明の目的は、小型化及び薄型化を図ることができ、安定した防水性能を得ることができ、製造コストの増大を抑制することができるとともに、デザイン性を向上させることができる電子機器を提供することである。
【課題を解決するための手段】
【００１１】
本発明の電子機器は、開口部を有する筐体と、前記開口部から外部に露出する接点部を有し、前記筐体に収納される導電端子部と、前記導電端子部の外周面と前記筐体の双方に密着して配置されるパッキンと、を具備する構成を採る。
【発明の効果】
【００１２】
本発明によれば、小型化及び薄型化を図ることができ、安定した防水性能を得ることができ、製造コストの増大を抑制することができるとともに、デザイン性を向上させることができる。
【図面の簡単な説明】
【００１３】
【図１】従来の防水機構を有する携帯電話の要部の側断面図
【図２】図１とは異なる防水機構を有する従来の携帯電話の側断面図
【図３】本発明の実施の形態に係る電子機器の斜視図
【図４】本発明の実施の形態に係る電子機器の分解斜視図
【図５】本発明の実施の形態に係る電子機器の要部の側断面図
【発明を実施するための形態】
【００１４】
以下、本発明の実施の形態について、図面を参照して詳細に説明する。
【００１５】
（実施の形態）
図３は、本発明の実施の形態に係る電子機器１００の斜視図である。電子機器１００は、例えば携帯電話である。
【００１６】
電子機器１００は、第１の筐体１０１と、第２の筐体１０２と、外部接点端子１０３とを有する。
【００１７】
第１の筐体１０１は、第２の筐体１０２に対して、回動自在に第２の筐体１０２に取り付けられる。
【００１８】
第２の筐体１０２は、第１の筐体１０１に対して、回動自在に第１の筐体１０１に取り付けられる。また、第２の筐体１０２は、第２の筐体１０２から外部に露出する外部接点端子１０３を内部に有する。
【００１９】
外部接点端子１０３は、第２の筐体１０２に設けられ、第２の筐体１０２から外部に露出する。また、外部接点端子１０３は、図示しない外部の接続機器と電気的に接続する。例えば、外部接点端子１０３は、外部の充電器と接続して電子機器１００に収納される電池（図１において省略）を充電するための充電用の端子である。なお、外部接点端子１０３の詳細については後述する。
【００２０】
次に、電子機器１００の構成について、図４を用いてさらに詳細に説明する。図４は、電子機器１００の分解斜視図である。
【００２１】
図４より、第２の筐体１０２は、外面筐体２０１と電池カバー２０２とから構成される。また、電子機器１００は、第１の筐体１０１と、第２の筐体１０２と、外部接点端子１０３とに加えて、電池２０３と、接点ホルダー２０４と、パッキン２０５と、第１の中継端子２０６と、第２の中継端子２０７と、回路基板２０８とを有する。
【００２２】
外面筐体２０１は、平面視矩形状であり、電池２０３を収納するための電池保持部２１０を有する。また、外面筐体２０１は、外部接点端子１０３を外部に露出させるために、外面筐体２０１の厚み方向に貫通した貫通孔２１１を有する。また、外面筐体２０１は、電池カバー２０２を取り付けるための、電池保持部２１０の外周に形成した電池カバー取付部２１２を有する。
【００２３】
電池カバー２０２は、外面筐体２０１の電池カバー取付部２１２に係合して、外面筐体２０１に取り付けられる。電池カバー２０２は、外面筐体２０１に取り付けられることにより、電池保持部２１０及び電池カバー取付部２１２を覆う。また、電池カバー２０２は、外部接点端子１０３を外部に露出するための、電池カバー２０２の厚み方向に貫通する開口部２１３を有する。また、電池カバー２０２は、貫通孔２１１と開口部２１３とが外面筐体２０１及び電池カバー２０２の厚み方向において重なり合うように、電池カバー取付部２１２に取り付けられる。
【００２４】
電池２０３は、第２の筐体１０２の電池保持部２１０に保持されて第２の筐体１０２に対して位置決めされる。また、電池２０３は、外部接点端子１０３を介して、図示しない外部の充電器と電気的に接続して充電される。また、電池２０３は、繰り返し充電可能な二次電池である。
【００２５】
接点ホルダー２０４は、上面２１４において、外部接点端子１０３を収納保持する外部接点端子収納部２１５を有する。また、接点ホルダー２０４は、外部接点端子１０３との間で、パッキン２０５を圧接した状態でパッキン２０５を保持する。また、接点ホルダー２０４は、第１の中継端子２０６を保持し、第１の中継端子２０６を保持した状態で、第１の中継端子２０６と外部接点端子１０３とを接続させる。
【００２６】
パッキン２０５は、環状であり、ゴム等の弾性部材により形成される。また、パッキン２０５は、接点ホルダー２０４と外部接点端子１０３の双方に密着して配置される。
【００２７】
第１の中継端子２０６は、接点ホルダー２０４に保持され、外部接点端子１０３と弾性接触することにより外部接点端子１０３と接続する。
【００２８】
第２の中継端子２０７は、第１の筐体１０１に設けられた回路基板２０８に印刷形成される導電性の回路パターンと電気的に接続するとともに、第１の中継端子２０６と弾性接触することにより第１の中継端子２０６と接続する。
【００２９】
回路基板２０８は、第１の筐体１０１の内底面において略全面に渡って配置される。また、回路基板２０８は、導電性の回路パターンが印刷形成され、半田付け等により回路パターンと電気的に接続した第２の中継端子２０７が設けられる。
【００３０】
次に、電子機器１００の要部について、図５を用いて説明する。図５は、電子機器１００の要部の断面図である。
【００３１】
外部接点端子１０３は、例えば金属材料を切削加工することにより形成する。また、外部接点端子１０３は、円柱状であり、開口部２１３から外部に露出して、外部の接続機器と電気的に接続する接点部３０１を上面に有する。また、外部接点端子１０３は、円柱状の本体部３０２の高さ方向（図５の上下方向）の一方の端部に、外周面３０３から外部に突出する第１のフランジ部３０４を有する。また、外部接点端子１０３は、本体部３０２の高さ方向の他方の端部に、外周面３０３から第１のフランジ部３０４よりも外部に突出する第２のフランジ部３０５を有する。また、第１のフランジ部３０４と第２のフランジ部３０５とにより、パッキン２０５を保持する溝部３０６が形成される。
【００３２】
接点ホルダー２０４は、外部接点端子１０３の第２のフランジ部３０５と係合するパッキン保持部４０１及び支持壁４０２を有する。また、接点ホルダー２０４は、第２のフランジ部３０５と係合するとともにパッキン保持部４０１と対向する支持壁４０２を有する。パッキン保持部４０１は、弾性変形して、パッキン２０５を外部接点端子１０３に押圧する方向にパッキン２０５を付勢する。支持壁４０２は、パッキン２０５がパッキン保持部４０１により押圧されることにより、パッキン２０５と圧接する。これにより、パッキン２０５は、接点ホルダー２０４と外部接点端子１０３の双方に密着して溝部３０６に保持される。また、パッキン保持部４０１は、第１のフランジ部３０４と当接することにより、パッキン２０５を外部接点端子１０３に押圧する方向への移動が規制される。また、接点ホルダー２０４は、第１の中継端子２０６を外壁に沿って保持する中継端子保持部５０１を有する。
【００３３】
第１の中継端子２０６は、金属板材を折り曲げて形成する。また、第１の中継端子２０６は、中継端子保持部５０１に係合して接点ホルダー２０４に取り付けられる。また、第１の中継端子２０６は、外部接点端子１０３と弾性接触して外部接点端子１０３と電気的に接続するバネ部６０１が、長手方向の一方の端部に形成される。また、第１の中継端子２０６は、長手方向のバネ部６０１が形成されている端部と反対側の端部に第２の中継端子２０７と接触して第２の中継端子２０７と電気的に接続する端部接点部６０２を有する。
【００３４】
第２の中継端子２０７は、金属板材を折り曲げて形成する。また、第２の中継端子２０７は、第１の中継端子２０６の端部接点部６０２と弾性接触して第１の中継端子２０６と電気的に接続するバネ部７０１が、長手方向の一方の端部に形成される。また、第２の中継端子２０７は、長手方向のバネ部７０１が形成されている端部と反対側の端部が、回路基板２０８の回路パターンに半田付け等されることにより、回路基板２０８の回路パターンと電気的に接続する。
【００３５】
次に、電子機器１００の組み立て方法について、図４及び図５を用いて説明する。
【００３６】
最初に、接点ホルダー２０４に第１の中継端子２０６を取り付ける。次に、外部接点端子１０３の溝部３０６にパッキン２０５を取り付ける。この際、パッキン２０５は、弾性変形するので、外部接点端子１０３に容易に取り付けることができる。次に、パッキン２０５を取り付けた外部接点端子１０３を、接点ホルダー２０４の外部接点端子収納部２１５に収納する。この際、外部接点端子１０３の第２のフランジ部３０５が接点ホルダー２０４のパッキン保持部４０１を押圧することにより、パッキン保持部４０１が弾性変形する。そして、外部接点端子１０３の外部接点端子収納部２１５への収納が完了した際に、第２のフランジ部３０５によるパッキン保持部４０１への押圧が解除され、パッキン保持部４０１が弾性力により復帰する。この結果、パッキン保持部４０１は、パッキン２０５を外部接点端子１０３へ押圧し、パッキン２０５を外部接点端子１０３に圧接させることができる。
【００３７】
この状態において、パッキン２０５は、パッキン保持部４０１及び支持壁４０２と外部接点端子１０３の外周面３０３の双方に密着して配置される。また、第１の中継端子２０６は、バネ部６０１により外部接点端子１０３と電気的に接続する。
【００３８】
次に、外部接点端子１０３と、パッキン２０５と、第１の中継端子２０６とを組み込んだ接点ホルダー２０４を第１の筐体１０１に取り付ける。この際、第１の筐体１０１の内部の回路基板２０８に取り付けられた第２の中継端子２０７は、バネ部７０１により第１の中継端子２０６と電気的に接続する。
【００３９】
次に、外面筐体２０１の電池保持部２１０に電池２０３を配置し、続いて外面筐体２０１を第１の筐体１０１に回動自在に取り付ける。この際、外部接点端子１０３の接点部３０１は、貫通孔２１１から外部に露出する。
【００４０】
次に、電池カバー２０２を外面筐体２０１の電池カバー取付部２１２に取り付ける。この際、外部接点端子１０３の接点部３０１は、開口部２１３から外部に露出する。以上で、電子機器１００の組み立てが完了する。
【００４１】
次に、電気機器１００の動作について、外部の充電器と接続する場合を例に説明する。
【００４２】
電子機器１００を外部の充電器と接続する際に、図示しない外部の充電器の端子と外部接点端子１０３の接点部３０１とが電気的に接続する。また、外部接点端子１０３は、第１の中継端子２０６と第２の中継端子２０７と回路基板２０８とを介して、電池２０３の端子と電気的に接続する。これにより、外部の充電器により電池２０３を充電することができる。
【００４３】
また、パッキン２０５はパッキン保持部４０１及び支持壁４０２と外部接点端子１０３とに密着して配置されるので、開口部２１３から水が侵入した際に、筐体内部への水の侵入を防ぐことができる。
【００４４】
このように、本実施の形態によれば、外部接点端子の外周面に直接パッキンを取り付けることにより、防水効果の検査箇所を少なくすることができるので、安定した防水性能を得ることができるとともに、製造コストの増大を抑制することができる。また、本実施の形態によれば、外部接点端子の外周面に直接パッキンを取り付けることにより、防水機構部分を省スペースにすることができるので、小型化及び薄型化を図ることができる。また、本実施の形態によれば、外部接点端子を筐体の端部に配置する場合において、外部接点端子に直接パッキンを取り付けることにより、省スペースにすることができるので、筐体の端部の形状に丸みをつける等のデザイン性を向上させることができる。また、本実施の形態によれば、外部接点端子の溝部にパッキンを設けるので、パッキンの取り付け作業を簡単にすることができる。また、本実施の形態によれば、外部接点端子を円柱状にするとともにパッキンを環状にするので、方向性を気にすることなくパッキンを外部接点端子に取り付けることができる。また、本実施の形態によれば、外部接点端子の第２のフランジ部を接点ホルダーにより保持するので、外部接点端子を簡便及び強固に筐体に取り付けることができる。また、本実施の形態によれば、外部接点端子の第１のフランジ部を接点ホルダーの移動を規制するストッパーにするので、パッキンに対する過大な押圧力によりパッキンが破損することを防止することができる。また、本実施の形態によれば、パッキンを環状にするので、外部接点端子の外周面に対して安定した圧力でパッキンを密着させることができる。
【００４５】
なお、上記の実施の形態において、電子機器を携帯電話として説明したが、本発明はこれに限らず、携帯電話以外の携帯音楽プレーヤ等の任意の電子機器に適用することができる。また、上記の実施の形態において、外部接点端子を充電用の端子としたが、本発明はこれに限らず、外部に露出する任意の用途の端子に適用することができる。また、上記の実施の形態において、筐体と別体の接点ホルダーに外部接点端子を収納したが、本発明はこれに限らず、接点ホルダーを筐体と一体に設けてもよい。
【産業上の利用可能性】
【００４６】
本発明は、特に筐体内部への水等の侵入を防止するパッキンを有する電子機器に好適である。
【符号の説明】
【００４７】
１００  電子機器
１０１  第１の筐体
１０３  外部接点端子
２０１  外面筐体
２０２  電池カバー
２０３  電池
２０４  接点ホルダー
２０５  パッキン
２０６  第１の中継端子
２０７  第２の中継端子
２０８  回路基板
２１０  電池保持部
２１１  貫通孔
２１２  電池カバー取付部
２１３  開口部
２１５  外部接点端子収納部
３０１  接点部
３０２  本体部
３０３  外周面
３０４  第１のフランジ部
３０５  第２のフランジ部
３０６  溝部
４０１  パッキン保持部
４０２  支持壁
５０１  中継端子保持部
６０１  バネ部
６０２  端部接点部
７０１  バネ部
【図１】
2011146983.tif 000003
【図２】
2011146983.tif 000004
【図３】
2011146983.tif 000005
【図４】
2011146983.tif 000006
【図５】
2011146983.tif 000007